(57)【特許請求の範囲】
【請求項１】
複数の系列によって形成されるパケット信号を送信する送信装置であって、
複数の系列のうちの少なくともひとつに配置すべきデータ信号を入力する入力部と、
前記入力部において入力したデータ信号が配置された系列に配置される第１の既知信号と、第１の既知信号の後段において複数の系列に配置される第２の既知信号と、データ信号とから、パケット信号を生成する生成部と、
前記生成部において生成したパケット信号を送信する送信部とを備え、
前記生成部は、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしていることを特徴とする送信装置。
【請求項２】
前記生成部において生成したパケット信号に含まれた第２の既知信号では、時間領域において所定の単位が繰り返されており、かつ所定の単位の符号の組合せがグループ内の系列間での直交関係を有することを特徴とする請求項１に記載の送信装置。
【請求項３】
前記入力部は、ひとつの系列に配置すべきデータ信号を入力し、
前記生成部は、第２の既知信号を４つの系列に配置する際に、ふたつの系列をひとつのグループとしながら、４つの系列をふたつのグループにまとめ、ふたつのグループのそれぞれを単位にして、第２の既知信号が配置されるべきタイミングを互いにずらし、かつ第２の既知信号をふたつの単位の繰り返しによって形成していることを特徴とする請求項２に記載の送信装置。
【請求項４】
前記生成部は、第１の既知信号と第２の既知信号とデータ信号とをひとつの系列に配置することによって別のパケット信号も生成しており、当該別のパケット信号においても第２の既知信号をふたつの単位の繰り返しによって形成していることを特徴とする請求項３に記載の送信装置。
【請求項５】
複数の系列によって形成されるパケット信号を送信する送信方法であって、
複数の系列のうちの少なくともひとつに配置すべきデータ信号が配置された系列に第１の既知信号を配置させてから、複数の系列に第２の既知信号を配置させることによって、パケット信号を生成しており、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしていることを特徴とする送信方法。
【請求項６】
複数の系列によって形成されるパケット信号を送信する送信装置と、
前記送信装置からのパケット信号を受信する受信装置とを備え、
前記送信装置は、複数の系列のうちの少なくともひとつに配置すべきデータ信号が配置された系列に第１の既知信号を配置させてから、複数の系列に第２の既知信号を配置させることによって、パケット信号を生成しており、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしており、
前記受信装置は、受信したパケット信号に含まれた第２の既知信号から、前記送信装置との間の伝送路特性を推定することを特徴とする通信システム。
【発明の詳細な説明】
【技術分野】
【０００１】
本発明は、送信技術に関し、特に複数の系列にて形成されるパケット信号を送信する送信方法および装置ならびにそれを利用した通信システムに関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮ（Ｌｏｃａｌ  Ａｒｅａ  Ｎｅｔｗｏｒｋ）の標準化規格であるＩＥＥＥ８０２．１１ａ，ｇやＨＩＰＥＲＬＡＮ／２に適用されている。このような無線ＬＡＮにおけるパケット信号は、一般的に時間と共に変動する伝送路環境を介して伝送され、かつ周波数選択性フェージングの影響を受けるので、受信装置は一般的に伝送路推定を動的に実行する。
【０００３】
受信装置が伝送路推定を実行するために、パケット信号内に、２種類の既知信号が設けられている。ひとつは、パケット信号の先頭部分において、すべてのキャリアに対して設けられた既知信号であり、いわゆるプリアンブルやトレーニング信号といわれるものである。もうひとつは、パケット信号のデータ区間中に一部のキャリアに対して設けられた既知信号であり、いわゆるパイロット信号といわれるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，"Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ"，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００４】
ワイヤレス通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術にＭＩＭＯ（Ｍｕｌｔｉｐｌｅ  Ｉｎｐｕｔ  Ｍｕｌｔｉｐｌｅ  Ｏｕｔｐｕｔ）システムがある。当該ＭＩＭＯシステムは、送信装置と受信装置がそれぞれ複数のアンテナを備え、並列に送信されるべきパケット信号を設定する（以下、パケット信号において並列に送信されるべきデータ等のそれぞれを「系列」という）。すなわち、送信装置と受信装置との間の通信に対して、最大アンテナ数までの系列を設定することによって、データレートを向上させる。
【０００５】
さらに、このようなＭＩＭＯシステムに、ＯＦＤＭ変調方式を組み合わせると、データレートはさらに高速化される。ＭＩＭＯシステムにおいて、データの通信に使用すべきアンテナの数を増減することによって、データレートの調節も可能になる。さらに、適応変調の適用によって、データレートの調節がより詳細になされる。このようなデータレートの調節を確実に実行するために、送信装置は、受信装置から、受信装置との間の無線伝送路に適したデータレートに関する情報（以下、「レート情報」という）を取得すべきである。また、このようなレート情報の精度を高めるために、受信装置では、送信装置に含まれた複数のアンテナと、受信装置に含まれた複数のアンテナ間のそれぞれの伝送路特性を取得する方が望ましい。
【０００６】
また、ＭＩＭＯシステムでの送信装置と受信装置におけるアンテナの指向性パターンの組合せは、例えば、以下の通りである。ひとつは、送信装置のアンテナがオムニパターンを有し、受信装置のアンテナがアダプティブアレイ信号処理でのパターンを有する場合である。別のものは、送信装置のアンテナと受信装置のアンテナの両者が、アダプティブアレイ信号処理でのパターンを有する場合である。これは、ビームフォーミングともいわれる。前者の方がシステムを簡略化できるが、後者の方が、アンテナの指向性パターンをより詳細に制御できるので、特性を向上できる。後者の場合、送信装置では、送信のアダプティブアレイ信号処理を実行するために、受信装置では、送信装置に含まれた複数のアンテナと、受信装置に含まれた複数のアンテナ間のそれぞれの伝送路特性を取得する方が望ましい。
【０００７】
以上のような要求において、レート情報の精度、およびビームフォーミングの精度を向上させるために、伝送路特性の特性の取得が高い精度にてなされる必要がある。伝送路特性の取得の精度を向上させるために、送信装置あるいは受信装置は、すべてのアンテナから伝送路推定用の既知信号を送信する。以下、データが配置された系列の数に関係なく、複数の系列に配置される伝送路推定用の既知信号を「トレーニング信号」という。例えば、データがふたつの系列に配置されている場合であっても、トレーニング信号は４つの系列に配置される。
【０００８】
本発明者はこうした状況下、以下の課題を認識するに至った。トレーニング信号が送信される場合、伝送路推定用の既知信号（以下、「伝送路推定用既知信号」という）が含まれる系列の数とデータが含まれる系列の数が異なる。また、伝送路推定用既知信号の前段には、受信側のＡＧＣ（Ａｕｔｏｍａｔｉｃ  Ｇａｉｎ  Ｃｏｎｔｒｏｌ）を設定するための既知信号（以下、「ＡＧＣ用既知信号」という）が配置される。データが配置される系列のみにＡＧＣ用既知信号が配置される場合、伝送路推定用既知信号の一部分は、その前段にてＡＧＣ用既知信号が受信されていない状態において、受信される。特に、受信側において、ＡＧＣ用既知信号の受信強度が大きくなければ、ＡＧＣにおける利得は、ある程度大きい値に設定される。その際に、ＡＧＣ用既知信号が配置されていない系列の伝送路推定用既知信号の強度が大きければ、当該伝送路推定用既知信号が、ＡＧＣによって歪みが生じるほど増幅されかねない。その結果、当該伝送路推定用既知信号にもとづく伝送路推定の誤差が大きくなる。
【０００９】
一方、伝送路推定用既知信号が配置される系列にＡＧＣ用既知信号が配置される場合、ＡＧＣ用既知信号が配置される系列の数と、データが配置される系列の数が異なるので、ＡＧＣ用既知信号によって設定された利得は、データの復調にとって適していない可能性がある。その結果、復調されたデータに誤りが生じやすくなる。特に、これらの課題は、伝送路推定用既知信号が配置される系列の数と、データが配置される系列の数との差が大きくなると、さらに重要になってくる。
【００１０】
本発明はこうした状況に鑑みてなされたものであり、その目的は、伝送路推定用の既知信号を伝送する際に、伝送効率の低下を抑制しながら、伝送路推定の精度を向上させる送信技術を提供することにある。
【課題を解決するための手段】
【００１１】
上記課題を解決するために、本発明のある態様の送信装置は、複数の系列によって形成されるパケット信号を送信する送信装置であって、複数の系列のうちの少なくともひとつに配置すべきデータ信号を入力する入力部と、入力部において入力したデータ信号が配置された系列に配置される第１の既知信号と、第１の既知信号の後段において複数の系列に配置される第２の既知信号と、データ信号とから、パケット信号を生成する生成部と、生成部において生成したパケット信号を送信する送信部とを備える。生成部は、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしている。
【００１２】
この態様によると、複数の系列を複数のグループにまとめ、複数のグループのそれぞれが配置されるべきタイミングを互いにずらすので、ひとつのグループ当たりの系列の数を小さくでき、第１の既知信号と第２の既知信号の強度の差を小さくできる。
【００１３】
生成部において生成したパケット信号に含まれた第２の既知信号では、時間領域において所定の単位が繰り返されており、かつ所定の単位の符号の組合せがグループ内の系列間での直交関係を有してもよい。この場合、グループ内の系列数は、全体の系列数よりも小さいので、直交関係の対象となる系列数も小さくなり、第２の既知信号を形成すべき単位の数を小さくできる。
【００１４】
入力部は、ひとつの系列に配置すべきデータ信号を入力し、生成部は、第２の既知信号を４つの系列に配置する際に、ふたつの系列をひとつのグループとしながら、４つの系列をふたつのグループにまとめ、ふたつのグループのそれぞれを単位にして、第２の既知信号が配置されるべきタイミングを互いにずらし、かつ第２の既知信号をふたつの単位の繰り返しによって形成していてもよい。この場合、第１の既知信号がひとつの系列に配置されていても、所定のタイミングにおいて第２の既知信号はふたつの系列に配置されているだけなので、第１の既知信号と第２の既知信号との強度の差を小さくできる。
【００１５】
生成部は、第１の既知信号と第２の既知信号とデータ信号とをひとつの系列に配置することによって別のパケット信号も生成しており、当該別のパケット信号においても第２の既知信号をふたつの単位の繰り返しによって形成していてもよい。この場合、第２の既知信号がひとつの系列に配置されるときと、第２の既知信号が複数の系列に配置されるときにおいて、ひとつの系列の構成が類似しているので、両者の切替を容易に実行できる。
【００１６】
本発明の別の態様は、送信方法である。この方法は、複数の系列によって形成されるパケット信号を送信する送信方法であって、複数の系列のうちの少なくともひとつに配置すべきデータ信号が配置された系列に第１の既知信号を配置させてから、複数の系列に第２の既知信号を配置させることによって、パケット信号を生成しており、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしている。
【００１７】
生成したパケット信号に含まれた第２の既知信号では、時間領域において所定の単位が繰り返されており、かつ所定の単位の符号の組合せがグループ内の系列間での直交関係を有してもよい。データ信号は、ひとつの系列に配置され、第２の既知信号を４つの系列に配置する際に、ふたつの系列をひとつのグループとしながら、４つの系列をふたつのグループにまとめ、ふたつのグループのそれぞれを単位にして、第２の既知信号が配置されるべきタイミングを互いにずらし、かつ第２の既知信号をふたつの単位の繰り返しによって形成してもよい。第１の既知信号と第２の既知信号とデータ信号とをひとつの系列に配置することによって別のパケット信号も生成しており、当該別のパケット信号においても第２の既知信号をふたつの単位の繰り返しによって形成してもよい。
【００１８】
本発明のさらに別の態様は、通信システムである。この通信システムは、複数の系列によって形成されるパケット信号を送信する送信装置と、送信装置からのパケット信号を受信する受信装置とを備える。送信装置は、複数の系列のうちの少なくともひとつに配置すべきデータ信号が配置された系列に第１の既知信号を配置させてから、複数の系列に第２の既知信号を配置させることによって、パケット信号を生成しており、第２の既知信号を複数の系列に配置する際に、データ信号が配置された系列の数よりも大きい数の系列をひとつのグループとしながら、複数の系列を複数のグループにまとめ、かつ複数のグループのそれぞれを単位にして、第２の既知信号が配置されるべきタイミングを互いにずらしており、受信装置は、受信したパケット信号に含まれた第２の既知信号から、送信装置との間の伝送路特性を推定する。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、伝送路推定用の既知信号を伝送する際に、伝送効率の低下を抑制しながら、伝送路推定の精度を向上できる。
【発明を実施するための最良の形態】
【００２１】
本発明を具体的に説明する前に、概要を述べる。本発明の実施例は、少なくともふたつの無線装置によって構成されるＭＩＭＯシステムに関する。無線装置のうちの一方は、送信装置に相当し、他方は、受信装置に相当する。送信装置は、複数の系列によって構成されるパケット信号を生成する。ここでは、特に、送信装置がトレーニング信号を送信する際の処理を説明する。そのため、前述のレート情報による適応変調処理や、ビームフォーミングは、受信したトレーニング信号をもとに処理がなされるが、これらについては公知の技術を使用すればよく、ここでは説明を省略する。以上の状況下、ＡＧＣ用既知信号が配置された系列の数と、伝送路推定用既知信号が配置された系列の数が異なることによって、受信装置における伝送路特性の推定精度が悪化する可能性がある。また、トレーニング信号を送信する場合であっても、伝送効率の低下を抑制したい。そのため、本実施例では、以下の処理を実行する。
【００２２】
送信装置は、データが配置される系列にＡＧＣ用既知信号を配置する。そのため、データがひとつの系列に配置される場合、ＡＧＣ用既知信号もひとつの系列に配置される。その結果、受信装置において設定される増幅率がデータの受信強度に対応するので、データの受信特性が向上される。また、送信装置は、トレーニング信号を生成する際に伝送路推定用既知信号を複数の系列に配置するが、その際、複数の系列を複数のグループにまとめる。なお、ひとつのグループは、データが配置される系列の数よりも大きい数の系列を含むように規定される。例えば、データがひとつの系列に配置され、かつ複数の系列の数が「４」である場合、ひとつのグループはふたつの系列によって形成される。そのため、４つの系列からふたつのグループが形成される。
【００２３】
また、送信装置では、ふたつのグループのそれぞれに含まれた伝送路推定用既知信号に対して、タイミングをずらしながら配置を行うことによって、パケット信号を生成する。そのため、ひとつのグループに含まれた伝送路推定用既知信号が配置されるタイミングにおいて、他のグループに含まれた伝送路推定用既知信号は配置されず、かつひとつのグループにおける伝送路推定用既知信号の系列数を小さくできる。これより、所定のタイミングにおいて、伝送路推定用既知信号が配置された系列の数を減少できる。その結果、ＡＧＣ用既知信号が配置された系列の数が小さくても、伝送路推定用既知信号が配置された系列の数も小さくされるので、受信装置において伝送路推定の精度の悪化が抑制される。
【００２４】
図１は、本発明の実施例に係るマルチキャリア信号のスペクトルを示す。特に、図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ＭＩＭＯシステムには、サブキャリア番号「−２８」から「２８」までの５６サブキャリアが規定されている。なお、サブキャリア番号「０」は、ベースバンド信号における直流成分の影響を低減するため、ヌルに設定されている。一方、ＭＩＭＯシステムに対応していないシステム（以下、「従来システム」という）には、サブキャリア番号「−２６」から「２６」までの５２サブキャリアが規定されている。なお、従来システムの一例は、ＩＥＥＥ８０２．１１ａ規格に準拠した無線ＬＡＮである。また、複数のサブキャリアにて構成されたひとつの信号の単位であって、かつ時間領域のひとつの信号の単位は、「ＯＦＤＭシンボル」と呼ばれるものとする。
【００２５】
また、それぞれのサブキャリアは、可変に設定された変調方式によって変調されている。変調方式には、ＢＰＳＫ（Ｂｉｎａｒｙ  Ｐｈａｓｅ  Ｓｈｉｆｔ  Ｋｅｙｉｎｇ）、ＱＳＰＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用される。
【００２６】
また、これらの信号には、誤り訂正方式として、畳み込み符号化が適用されている。畳み込み符号化の符号化率は、１／２、３／４等に設定される。さらに、並列に送信すべきデータの数は、可変に設定される。その結果、変調方式、符号化率、系列の数の値が可変に設定されることによって、データレートも可変に設定される。なお、「データレート」は、これらの任意の組合せによって決定されてもよいし、これらのうちのひとつによって決定されてもよい。従来システムにおいて、変調方式がＢＰＳＫであり、符号化率が１／２である場合、データレートは６Ｍｂｐｓになる。一方、変調方式がＢＰＳＫであり、符号化率が３／４である場合、データレートは９Ｍｂｐｓになる。
【００２７】
図２は、本発明の実施例に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。ここで、第１無線装置１０ａが、送信装置および基地局装置に対応し、第２無線装置１０ｂが、受信装置および端末装置に対応する。
【００２８】
通信システム１００の構成として、ＭＩＭＯシステムの概略を説明する。データは、第１無線装置１０ａから第２無線装置１０ｂに送信されているものとする。第１無線装置１０ａは、第１アンテナ１２ａから第４アンテナ１２ｄのそれぞれから、複数の系列のデータをそれぞれ送信する。その結果、データレートが高速になる。第２無線装置１０ｂは、第１アンテナ１４ａから第４アンテナ１４ｄによって、複数の系列のデータを受信する。さらに、第２無線装置１０ｂは、アダプティブアレイ信号処理によって、受信したデータを分離して、複数の系列のデータを独立に復調する。
【００２９】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。なお、第１無線装置１０ａから第２無線装置１０ｂに、トレーニング信号が送信されるものとする。また、第１無線装置１０ａと第２無線装置１０ｂとが逆になってもよい。
【００３０】
図３（ａ）−（ｃ）は、通信システム１００におけるパケットフォーマットを示す。図３（ａ）−（ｃ）は、トレーニング信号でなく、通常のパケット信号のフォーマットを示す。ここで、図３（ａ）は、系列の数が「４」である場合に対応し、図３（ｂ）は、系列の数が「３」である場合に対応し、図３（ｃ）は、系列の数が「２」である場合に対応する。図３（ａ）では、４つの系列に含まれたデータが、送信の対象とされるものとし、第１から第４の系列に対応したパケットフォーマットが上段から下段に順に示される。
【００３１】
第１の系列に対応したパケット信号には、プリアンブル信号として「Ｌ−ＳＴＦ」、「ＨＴ−ＬＴＦ」等が配置される。「Ｌ−ＳＴＦ」、「Ｌ−ＬＴＦ」、「Ｌ−ＳＩＧ」、「ＨＴ−ＳＩＧ」は、従来システムに対応したＡＧＣ設定用の既知信号、伝送路推定用の既知信号、制御信号、ＭＩＭＯシステムに対応した制御信号にそれぞれ相当する。ＭＩＭＯシステムに対応した制御信号には、例えば、系列の数に関する情報やデータ信号の宛先が含まれている。「ＨＴ−ＳＴＦ」、「ＨＴ−ＬＴＦ」は、ＭＩＭＯシステムに対応したＡＧＣ設定用の既知信号、伝送路推定用の既知信号に相当する。一方、「データ１」は、データ信号である。なお、Ｌ−ＬＴＦ、ＨＴ−ＬＴＦは、ＡＧＣの設定だけでなく、タイミングの推定にも使用される。
【００３２】
また、第２の系列に対応したパケット信号には、プリアンブル信号として「Ｌ−ＳＴＦ（−５０ｎｓ）」と「ＨＴ−ＬＴＦ（−４００ｎｓ）」等が配置される。また、第３の系列に対応したパケット信号には、プリアンブル信号として「Ｌ−ＳＴＦ（−１００ｎｓ）」と「ＨＴ−ＬＴＦ（−２００ｎｓ）」等が配置される。また、第４の系列に対応したパケット信号には、プリアンブル信号として「Ｌ−ＳＴＦ（−１５０ｎｓ）」と「ＨＴ−ＬＴＦ（−６００ｎｓ）」等が配置される。
【００３３】
ここで、「−４００ｎｓ」等は、ＣＤＤ（Ｃｙｃｌｉｃ  Ｄｅｌａｙ  Ｄｉｖｅｒｓｉｔｙ）におけるタイミングシフト量を示す。ＣＤＤとは、所定の区間において、時間領域の波形をシフト量だけ後方にシフトさせ、所定の区間の最後部から押し出された波形を所定の区間の先頭部分に循環的に配置させる処理である。すなわち、「Ｌ−ＳＴＦ（−５０ｎｓ）」には、「Ｌ−ＳＴＦ」に対して、−５０ｎｓの遅延量にて循環的なタイミングシフトがなされている。なお、Ｌ−ＳＴＦとＨＴ−ＳＴＦは、８００ｎｓの期間の繰り返しによって構成され、その他のＨＴ−ＬＴＦ等は、３．２μｓの期間の繰り返しによって構成されているものとする。ここで「データ１」から「データ４」にもＣＤＤがなされており、タイミングシフト量は、前段に配置されたＨＴ−ＬＴＦでのタイミングシフト量と同一の値である。
【００３４】
また、第１の系列において、ＨＴ−ＬＴＦが、先頭から「ＨＴ−ＬＴＦ」、「−ＨＴ−ＬＴＦ」、「ＨＴ−ＬＦＴ」、「−ＨＴ−ＬＴＦ」の順に配置されている。ここで、これらを順に、すべての系列において「第１成分」、「第２成分」、「第３成分」、「第４成分」と呼ぶ。すべての系列の受信信号に対して、第１成分−第２成分＋第３成分−第４成分の演算を行えば、受信装置において、第１の系列に対する所望信号が抽出される。また、すべての系列の受信信号に対して、第１成分＋第２成分＋第３成分＋第４成分の演算を行えば、受信装置において、第２の系列に対する所望信号が抽出される。また、すべての系列の受信信号に対して、第１成分−第２成分−第３成分＋第４成分の演算を行えば、受信装置において、第３の系列に対する所望信号が抽出される。また、すべての系列の受信信号に対して、第１成分＋第２成分−第３成分−第４成分の演算を行えば、受信装置において、第４の系列に対する所望信号が抽出される。これらは、所定の成分の符号の組合せが系列間において直交関係を有していることに相当する。なお、加減処理は、ベクトル演算にて実行される。
【００３５】
「Ｌ−ＬＴＦ」から「ＨＴ−ＳＩＧ」等までの部分には、従来システムと同様に、「５２」サブキャリアが使用される。なお、「５２」サブキャリアのうちの「４」サブキャリアがパイロット信号に相当する。一方、「ＨＴ−ＬＴＦ」等以降の部分は、「５６」サブキャリアを使用する。
【００３６】
図３（ａ）において、「ＨＴ−ＬＴＦ」の符号は、以下のように規定されている。第１の系列の先頭から順に、符号は「＋」、「−」、「＋」、「−」の順に並べられ、第２の系列の先頭から順に、符号は「＋」、「＋」、「＋」、「＋」の順に並べられ、第３の系列の先頭から順に、符号は「＋」、「−」、「−」、「＋」の順に並べられ、第４の系列の先頭から順に、符号は「＋」、「＋」、「−」、「−」の順に並べられている。しかしながら、符号は、以下のように規定されていてもよい。第１の系列の先頭から順に、符号は「＋」、「−」、「＋」、「＋」の順に並べられ、第２の系列の先頭から順に、符号は「＋」、「＋」、「−」、「＋」の順に並べられ、第３の系列の先頭から順に、符号は「＋」、「＋」、「＋」、「−」の順に並べられ、第４の系列の先頭から順に、符号は「−」、「＋」、「＋」、「＋」の順に並べられる。このような符号であっても、所定の成分の符号の組合せが系列間において直交関係を有していることに相当する。
【００３７】
図３（ｂ）は、図３（ａ）の第１の系列から第３の系列に相当する。図３（ｃ）は、図３（ａ）に示したパケットフォーマットのうちの第１系列と第２系列に類似している。ここで、図３（ｂ）の「ＨＴ−ＬＴＦ」の配置が、図３（ａ）の「ＨＴ−ＬＴＦ」の配置と異なっている。すなわち、ＨＴ−ＬＴＦには、第１成分と第２成分だけが含まれている。第１の系列において、ＨＴ−ＬＴＦが、先頭から「ＨＴ−ＬＴＦ」、「ＨＴ−ＬＴＦ」の順に配置され、第２の系列において、ＨＴ−ＬＴＦが、先頭から「ＨＴ−ＬＴＦ」、「−ＨＴ−ＬＴＦ」の順に配置されている。すべての系列の受信信号に対して、第１成分＋第２成分の演算を行えば、受信装置において、第１の系列に対する所望信号が抽出される。また、すべての系列の受信信号に対して、第１成分−第２成分の演算を行えば、受信装置において、第２の系列に対する所望信号が抽出される。これらも、前述のごとく、直交関係といえる。
【００３８】
図４（ａ）−（ｂ）は、通信システム１００において系列の数がひとつである場合のパケットフォーマットを示す。図４（ａ）−（ｂ）は、図３（ａ）−（ｃ）に示したパケット信号の系列の数を「１」にした場合に相当する。両者の相違点は、パケット信号に含まれる「ＨＴ−ＬＴＦ」の数である。図４（ａ）は、図３（ａ）に示したパケットフォーマットのうちの第１系列に類似している。ここでは、ひとつの「ＨＴ−ＬＴＦ」がパケットフォーマットに含まれる。一方、図４（ｂ）は、図３（ｃ）に示したパケットフォーマットのうちの第１系列に相当する。すなわち、ふたつの「ＨＴ−ＬＴＦ」がパケット信号に含まれる。図４（ａ）のパケットフォーマットが使用されれば、「ＨＴ−ＬＴＦ」の期間を短縮できるので、伝送効率を向上できる。一方、図４（ｂ）のパケットフォーマットが使用されれば、系列の数が「２」である場合のパケットフォーマットの一部であるので、パケットフォーマットの切替を容易に実行できる。ここでは、図４（ｂ）のパケットフォーマットが使用されるものとする。
【００３９】
図５（ａ）−（ｄ）は、通信システム１００におけるトレーニング信号用のパケットフォーマットを示す。図５（ａ）−（ｄ）は、図３（ａ）−（ｃ）および図４（ｂ）でのパケット信号に対するトレーニング信号である。なお、以下では説明を明瞭にするために、パケットフォーマットに含まれる「Ｌ−ＳＴＦ」から「ＨＴ−ＳＩＧ」を省略するものとする。すなわち、「ＨＴ−ＳＴＦ」以降の構成が示されている。図５（ａ）は、データ信号が配置される系列（以下、「主系列」という）の数が「３」である場合であり、図５（ｂ）は、主系列の数が「２」場合であり、図５（ｃ）−（ｄ）は、主系列の数が「１」である場合である。すなわち、図５（ａ）では、第１の系列から第３の系列とにデータ信号が配置され、図５（ｂ）では、第１の系列と第２の系列とにデータ信号が配置され、図５（ｃ）−（ｄ）では、第１の系列にデータ信号が配置される。
【００４０】
図５（ａ）の第１の系列から第３の系列のうち、ＨＴ−ＬＴＦに関する配置までは、図３（ｂ）での配置と同一である。しかしながら、その後段において、第１の系列から第３の系列には、空白の期間が設けられる。一方、第１の系列から第３の系列での空白の期間において、第４の系列には、ＨＴ−ＬＴＦが配置される。また、第４の系列に配置されたＨＴ−ＬＴＦに続いて、第１の系列から第３の系列には、データが配置される。なお、第４の系列でのＨＴ−ＬＴＦの配置は、図４（ａ）での配置と同一である。
【００４１】
このような配置によって、「ＨＴ−ＳＴＦ」が配置された系列の数が、データ信号が配置された系列の数に等しくなるので、受信装置において「ＨＴ−ＳＴＦ」によって設定された増幅率に含まれる誤差が小さくなり、データ信号の受信特性の悪化を防止できる。また、第４系列に配置された「ＨＴ−ＬＴＦ」は、ひとつの系列に配置されているだけなので、受信装置において第４系列に配置された「ＨＴ−ＬＴＦ」が、ＡＧＣによって歪みが生じるほど増幅される状況を低減できる。そのため、伝送路推定の精度の悪化を防止できる。
【００４２】
図５（ｂ）の第１の系列と第２の系列のうち、ＨＴ−ＬＴＦに関する配置までは、図３（ｃ）での配置と同一である。しかしながら、その後段において、第１の系列と第２の系列には、空白の期間が設けられる。一方、第１の系列と第２の系列での空白の期間において、第３の系列と第４の系列には、ＨＴ−ＬＴＦが配置される。また、第３の系列と第４の系列に配置されたＨＴ−ＬＴＦに続いて、第１の系列と第２の系列には、データが配置される。なお、第３の系列と第４の系列でのＨＴ−ＬＴＦの配置は、図３（ｃ）での配置と同一である。
【００４３】
ここで、タイミングシフト量について、「０ｎｓ」、「−４００ｎｓ」、「−２００ｎｓ」、「−６００ｎｓ」の順に優先度が低くなるように、優先度が規定されているものとする。すなわち、「０ｎｓ」の優先度が最も高く、「−６００ｎｓ」の優先度が最も低くなるように規定されている。そのため、第１の系列と第２の系列では、タイミングシフト量として、「０ｎｓ」、「−４００ｎｓ」の値が使用されている。一方、第３の系列と第４の系列でもタイミングシフト量として「０ｎｓ」、「−４００ｎｓ」の値が使用されている。その結果、第１の系列での「ＨＴ−ＬＴＦ」、「ＨＴ−ＬＴＦ」の組合せが第３の系列でも使用され、第２の系列での「ＨＴ−ＬＴＦ（−４００ｎｓ）」、「−ＨＴ−ＬＴＦ（−４００ｎｓ）」の組合せが第４の系列でも使用されるので、処理が簡易になる。
【００４４】
図５（ｃ）の第１の系列のうち、ＨＴ−ＬＴＦに関する配置までは、図４（ｂ）の第１の系列に対する配置と同等である。ここで、ふたつの「ＨＴ−ＬＴＦ」が配置される。しかしながら、その後段において、第１の系列には、空白の期間が設けられる。一方、第１の系列での空白の期間において、第２の系列から第４の系列には、ＨＴ−ＬＴＦが配置される。また、第２の系列から第４の系列に配置されたＨＴ−ＬＴＦに続いて、第１の系列には、データが配置される。ここで、第２の系列から第３の系列に配置されるＨＴ−ＬＴＦの配置は、図３（ｂ）での配置に類似する。
【００４５】
図５（ｄ）は、図５（ｃ）と同様に構成されるが、図５（ｄ）における「ＨＴ−ＬＴＦ」の符号の組合せが、図５（ｃ）のものと異なる。ここで、「ＨＴ−ＬＴＦ」の符号の組合せは、系列間において直交関係が成立するように規定されている。また、図５（ｄ）では、複数の系列のそれぞれに対し、「ＨＴ−ＬＴＦ」の符号の組合せが固定されるように規定されている。ここで、図５（ｄ）では、図５（ｃ）と同様に、第２の系列から第４の系列であっても、優先度の高い「０ｎｓ」、「−４００ｎｓ」、「−２００ｎｓ」が使用される。
【００４６】
図５（ａ）での第４の系列、すなわちデータが配置されていない系列（以下、「副系列」という）には、ひとつの「ＨＴ−ＬＴＦ」が配置される。また、図５（ｂ）での第３の系列および第４の系列には、ふたつの「ＨＴ−ＬＴＦ」が配置される。さらに、図５（ｃ）−（ｄ）での第２の系列から第４の系列には、４つの「ＨＴ−ＬＴＦ」が配置される。これらを比較すると、図５（ｃ）−（ｄ）での副系列に配置された「ＨＴ−ＬＴＦ」の長さが最も長くなる。すなわち、トレーニング信号を生成すべきパケット信号での主系列の数が小さくなると、副系列の長さが長くなり、伝送効率が低下する。特に、図５（ｃ）−（ｄ）では、副系列の数が「３」であるのにもかかわらず、４つの系列の場合と同様の４つの「ＨＴ−ＬＴＦ」が配置される。本実施例では、このような場合においても、伝送効率の低下を抑制するためのパケットフォーマットを提案する。
【００４７】
図６（ａ）−（ｄ）は、通信システム１００における別のトレーニング信号用のパケットフォーマットを示す。図６（ａ）−（ｄ）は、図５（ａ）−（ｄ）にそれぞれ対応する。図６（ａ）−（ｄ）では、複数の系列のそれぞれにタイミングシフト量が対応づけられながら規定されている。ここで、第１の系列に対してタイミングシフト量「０ｎｓ」が規定され、第２の系列に対してタイミングシフト量「−４００ｎｓ」が規定され、第３の系列に対してタイミングシフト量「−２００ｎｓ」が規定され、第４の系列に対してタイミングシフト量「−６００ｎｓ」が規定されている。
【００４８】
そのため、図６（ａ）では、図５（ａ）における第４の系列でのタイミングシフト量「０ｎｓ」の代わりに、「−６００ｎｓ」が使用される。また、図６（ｂ）では、図５（ｂ）における第３の系列と第４の系列でのタイミングシフト量「０ｎｓ」、「−４００ｎｓ」の代わりに、「−２００ｎｓ」、「−６００ｎｓ」が使用される。一方、図６（ｃ）−（ｄ）では、図５（ｃ）−（ｄ）における第２の系列から第４の系列でのタイミングシフト量「０ｎｓ」、「−４００ｎｓ」、「−２００ｎｓ」の代わりに、「−４００ｎｓ」、「−２００ｎｓ」、「−６００ｎｓ」が使用される。
【００４９】
図６（ｄ）は、図６（ｃ）と同様に構成されるが、図６（ｄ）における「ＨＴ−ＬＴＦ」の符号の組合せが、図６（ｃ）のものと異なる。「ＨＴ−ＬＴＦ」の符号の組合せには予め優先度が設けられている。すなわち、図３（ａ）の第１の系列における符号の組合せの優先度が最も高く、第４の系列における符号の組合せの優先度が最も低くなるような規定がなされている。また、データ信号が配置される系列に対して、優先度の高い符号の組合せから順に符号の組合せを使用し、データ信号が配置されない系列に対しても、優先度の高い符号の組合せから順に符号の組合せを使用する。このように、符号の組合せを同じにしておけば、受信装置が＋−の演算を行って各成分を取り出す場合に、データが配置されない系列の「ＨＴ−ＬＴＦ」の部分に対する伝送路特性の計算と、データが配置される系列の「ＨＴ−ＬＴＦ」の部分に対する伝送路特性の計算に対して、共通の回路を使用できる。
【００５０】
図７（ａ）−（ｄ）は、通信システム１００におけるさらに別のトレーニング信号用のパケットフォーマットを示す。前述のごとく、トレーニング信号を生成すべきパケット信号での主系列の数が小さくなると、副系列の長さが長くなり、伝送効率が低下する。図７（ａ）−（ｂ）は、このような課題を解決するためのパケットフォーマットである。なお、図７（ａ）は、図５（ｃ）−（ｄ）に対応したパケットフォーマットであり、図７（ｂ）は、図６（ｃ）−（ｄ）に対応したパケットフォーマットであり、図７（ｃ）−（ｄ）は、図７（ａ）−（ｂ）の比較対象となるパケットフォーマットである。図７（ａ）において、パケット信号を形成する複数の系列、すなわち「４」つの系列が複数のグループにまとめられる。なお、ひとつのグループは、データが配置される系列の数よりも大きな数の系列を含むように規定される。ここで、ひとつのグループは、ふたつの系列を含むように規定される。すなわち、第１の系列と第２の系列とから第１のグループが形成され、第３の系列と第４の系列とから第２のグループが形成される。すなわち、「４」つの系列からふたつのグループが形成される。
【００５１】
第１のグループのうちの第１の系列には、「ＨＴ−ＳＴＦ」と「データ」が含まれる。また、第１のグループでの「ＨＴ−ＬＴＦ」と第２のグループでの「ＨＴ−ＬＴＦ」とは、異なったタイミングに配置される。そのため、第１のグループでの「ＨＴ−ＬＴＦ」が配置されたタイミングには、第２のグループでの「ＨＴ−ＬＴＦ」が配置されず、その逆も成立する。そのため、第１のグループでの「ＨＴ−ＬＴＦ」の信号強度と第２のグループでの「ＨＴ−ＬＴＦ」の信号強度とが近い値に設定される。その結果、受信装置において、両者の受信強度も近くなる。また、両方のグループでの「ＨＴ−ＬＴＦ」が配置された系列の数は「２」であり、「ＨＴ−ＳＴＦ」が配置されて系列の数は「１」であるので、「ＨＴ−ＬＴＦ」と「ＨＴ−ＳＴＦ」との受信強度が近くなる。そのため、「ＨＴ−ＳＴＦ」によって導出された増幅率は、ふたつのグループのＨＴ−ＬＴＦに適した増幅率に近くなる。これより、受信装置において、「ＨＴ−ＬＴＦ」による伝送路推定の精度が向上する。
【００５２】
また、第２のグループでの「ＨＴ−ＬＴＦ」の配置は、図３（ｃ）と同様に規定される。すなわち、系列の数がふたつであるときの配置がなされるので、第２のグループでの「ＨＴ−ＬＴＦ」の数が「２」になる。そのため、伝送効率の低下が抑制される。図７（ｂ）では、図７（ａ）と同様に「ＨＴ−ＬＴＦ」が配置される。両者の相違点は、ＣＤＤにおけるタイミングシフト量の値であるが、これは既に説明したので、説明を省略する。
【００５３】
図７（ａ）−（ｂ）のパケットフォーマットによる効果を図７（ｃ）−（ｄ）と比較しながら説明する。前述のごとく、図７（ａ）−（ｂ）のパケットフォーマットは、図５（ｃ）−（ｄ）や図６（ｃ）−（ｄ）のパケットフォーマットよりも、ひとつの系列当たりの「ＨＴ−ＬＴＦ」の数を少なくできる。一方、図７（ａ）−（ｂ）のパケットフォーマットと同一の数の「ＨＴ−ＬＴＦ」を有したパケットフォーマットは、図７（ｃ）−（ｄ）のように示される。図７（ｃ）では、「ＨＴ−ＳＴＦ」と「データ１」が第１の系列に配置される。一方、「ＨＴ−ＬＴＦ」は、図３（ａ）と同様に、第１の系列から第４の系列に配置される。すなわち、４つの系列を前提とした「ＨＴ−ＬＴＦ」が配置される。しかしながら、このようなパケットフォーマットによれば、「ＨＴ−ＳＴＦ」はひとつの系列に配置されているが、「ＨＴ−ＬＴＦ」は４つの系列に配置されているので、「ＨＴ−ＬＴＦ」の部分の受信電力が「ＨＴ−ＳＴＦ」の部分の受信電力よりも大きくなりやすい。そのため、受信装置においてひとつのＨＴ−ＳＴＦをもとに設定された増幅率にて増幅すると、「ＨＴ−ＬＴＦ」の部分が歪みやすくなる。その結果、データ１を受信する際に誤りが発生し、受信品質の悪化が生じる。
【００５４】
図７（ｄ）は、図７（ｃ）と類似しているが、「ＨＴ−ＳＴＦ」が第１の系列から第４の系列に配置されている。そのため、「ＨＴ−ＳＴＦ」の部分の受信電力と「ＨＴ−ＬＴＦ」の部分の受信電力とが、近い値になる。その結果、設定された増幅率にて増幅しても、「ＨＴ−ＬＴＦ」の部分が歪みにくくなる。しかしながら、「データ１」はひとつの系列に配置されているので、その部分の受信電力は、「ＨＴ−ＳＴＦ」の部分の受信電力と異なりやすくなる。その結果、設定された増幅率は、「データ１」の部分の受信にとって適切な値ではなくなるので、データ１を受信する際に誤りが発生し、受信品質の悪化が生じる。
【００５５】
以上をまとめると、図７（ｃ）−（ｄ）のようなパケットフォーマットによれば、図７（ａ）−（ｂ）のパケットフォーマットと同様に、ひとつの系列当たりの「ＨＴ−ＬＴＦ」の数が少なくなる。しかしながら、図７（ｃ）−（ｄ）の場合での伝送路推定の品質、受信品質は、図７（ａ）−（ｂ）の場合よりも悪化する。一方、図５（ｃ）−（ｄ）、図６（ｃ）−（ｄ）の場合での伝送路推定の品質、受信品質は、図７（ａ）−（ｂ）の場合と同等になるが、前述のごとく、ひとつの系列当たりの「ＨＴ−ＬＴＦ」の数が多くなる。そのため、図７（ａ）−（ｂ）のパケットフォーマットは、伝送効率を改善しつつ、伝送路推定の品質、受信品質の悪化を抑制するためのフォーマットであるといえる。
【００５６】
図８は、通信システム１００において最終的に送信されるパケット信号のパケットフォーマットを示す。図８は、図７（ａ）−（ｂ）のパケット信号を変形させた場合に相当する。図７（ａ）−（ｂ）の第１の系列と第２の系列に配置された「ＨＴ−ＳＴＦ」と「ＨＴ−ＬＴＦ」に、後述の直交行列による演算がなされる。その結果、「ＨＴ−ＳＴＦ１」から「ＨＴ−ＳＴＦ４」が生成される。「ＨＴ−ＬＴＦ」についても同様である。さらに、第１の系列から第４の系列のそれぞれに対して、タイミングシフト量「０ｎｓ」、「−５０ｎｓ」、「−１００ｎｓ」、「−１５０ｎｓ」によるＣＤＤが実行される。なお、２度目のＣＤＤでのタイミングシフト量の絶対値は、ＨＴ−ＳＴＦおよびＨＴ−ＬＴＦに対して１度目になされたＣＤＤでのタイミングシフト量の絶対値よりも小さくなるように設定される。第３の系列と第４の系列に配置された「ＨＴ−ＬＴＦ」と、第１の系列の「データ１」等に対しても同様の処理が実行される。
【００５７】
図９は、第１無線装置１０ａの構成を示す。第１無線装置１０ａは、無線部２０と総称される第１無線部２０ａ、第２無線部２０ｂ、第４無線部２０ｄ、ベースバンド処理部２２、変復調部２４、ＩＦ部２６、制御部３０を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第４周波数領域信号２０２ｄを含む。なお、第２無線装置１０ｂは、第１無線装置１０ａと同様に構成される。そのため、以下の説明において、受信動作に関する説明は、第２無線装置１０ｂでの処理に対応し、送信動作に関する説明は、第１無線装置１０ａでの処理に対応する。
【００５８】
無線部２０は、受信動作として、アンテナ１２によって受信した無線周波数の信号を周波数変換し、ベースバンドの信号を導出する。無線部２０は、ベースバンドの信号を時間領域信号２００としてベースバンド処理部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、ＡＧＣやＡ／Ｄ変換部も含まれる。ＡＧＣは、「Ｌ−ＳＴＦ」、「ＨＴ−ＳＴＦ」において増幅率を設定する。
【００５９】
無線部２０は、送信動作として、ベースバンド処理部２２からのベースバンドの信号を周波数変換し、無線周波数の信号を導出する。ここで、ベースバンド処理部２２からのベースバンドの信号も時間領域信号２００として示す。無線部２０は、無線周波数の信号をアンテナ１２に出力する。すなわち、無線部２０は、無線周波数のパケット信号をアンテナ１２から送信する。また、ＰＡ（Ｐｏｗｅｒ  Ａｍｐｌｉｆｉｅｒ）、Ｄ／Ａ変換部も含まれる。時間領域信号２００は、時間領域に変換されたマルチキャリア信号であり、デジタル信号であるものとする。
【００６０】
ベースバンド処理部２２は、受信動作として、複数の時間領域信号２００をそれぞれ周波数領域に変換し、周波数領域の信号に対してアダプティブアレイ信号処理を実行する。ベースバンド処理部２２は、アダプティブアレイ信号処理の結果を周波数領域信号２０２として出力する。ひとつの周波数領域信号２０２が、送信された複数の系列のそれぞれに相当する。また、ベースバンド処理部２２は、送信動作として、変復調部２４から、周波数領域の信号としての周波数領域信号２０２を入力し、周波数領域の信号を時間領域に変換し、複数のアンテナ１２のそれぞれに対応づけながら時間領域信号２００として出力する。
【００６１】
送信処理において使用すべきアンテナ１２の数は、制御部３０によって指定されるものとする。ここで、周波数領域の信号である周波数領域信号２０２は、図１のごとく、複数のサブキャリアの成分を含むものとする。図を明瞭にするために、周波数領域の信号は、サブキャリア番号の順番に並べられて、シリアル信号を形成しているものとする。
【００６２】
図１０は、周波数領域の信号の構成を示す。ここで、図１に示したサブキャリア番号「−２８」から「２８」のひとつの組合せを「ＯＦＤＭシンボル」というものとする。「ｉ」番目のＯＦＤＭシンボルは、サブキャリア番号「１」から「２８」、サブキャリア番号「−２８」から「−１」の順番にサブキャリア成分を並べているものとする。また、「ｉ」番目のＯＦＤＭシンボルの前に、「ｉ−１」番目のＯＦＤＭシンボルが配置され、「ｉ」番目のＯＦＤＭシンボルの後ろに、「ｉ＋１」番目のＯＦＤＭシンボルが配置されているものとする。なお、図３（ａ）等の「Ｌ−ＳＩＧ」等の部分では、ひとつの「ＯＦＤＭシンボル」に対して、サブキャリア番号「−２６」から「２６」の組合せが使用される。
【００６３】
図９に戻る。また、ベースバンド処理部２２は、図３（ａ）−（ｃ）、図５（ａ）−（ｂ）、図６（ａ）−（ｂ）、図７（ａ）−（ｂ）のパケットフォーマットに対応したパケット信号を生成するために、ＣＤＤを実行する。さらに、ベースバンド処理部２２は、図８のパケットフォーマットに示したパケット信号への変形を実行するために、ステアリング行列の乗算を実行する。これらの処理の詳細は、後述する。
【００６４】
変復調部２４は、受信処理として、ベースバンド処理部２２からの周波数領域信号２０２に対して、復調とデインタリーブを実行する。なお、復調は、サブキャリア単位でなされる。変復調部２４は、復調した信号をＩＦ部２６に出力する。また、変復調部２４は、送信処理として、インタリーブと変調を実行する。変復調部２４は、変調した信号を周波数領域信号２０２としてベースバンド処理部２２に出力する。送信処理の際に、変調方式は、制御部３０によって指定されるものとする。
【００６５】
ＩＦ部２６は、受信処理として、複数の変復調部２４からの信号を合成し、ひとつのデータストリームを形成する。さらに、ひとつのデータストリームを復号する。ＩＦ部２６は、復号したデータストリームを出力する。また、ＩＦ部２６は、送信処理として、ひとつのデータストリームを入力し、符号化した後に、これを分離する。さらに、ＩＦ部２６は、分離したデータを複数の変復調部２４に出力する。送信処理の際に、符号化率は、制御部３０によって指定されるものとする。ここで、符号化の一例は、たたみ込み符号化であり、復号の一例は、ビタビ復号であるとする。
【００６６】
制御部３０は、第１無線装置１０ａのタイミング等を制御する。制御部３０は、ＩＦ部２６、変復調部２４、ベースバンド処理部２２と協同しながら、図３（ａ）−（ｃ）、図４（ａ）−（ｂ）、図５（ａ）−（ｂ）、図６（ａ）−（ｂ）、図７（ａ）−（ｂ）、図８のようなパケットフォーマットのパケット信号を生成し、生成したパケット信号を送信するための制御を実行する。ここでは、図７（ａ）−（ｂ）に示されたパケットフォーマットを生成するための処理を中心に説明するが、それ以外のパケットフォーマットについても、同様の処理が実行される。
【００６７】
ＩＦ部２６において、複数の系列のうちの少なくともひとつに配置すべきデータが入力される。ここでは、図７（ａ）−（ｂ）のごとく、ひとつの系列に配置すべきデータが入力される。制御部３０は、ベースバンド処理部２２に対して、入力したデータが配置された系列、すなわち第１の系列に配置される「ＨＴ−ＳＴＦ」と、「ＨＴ−ＳＴＦ」の後段において複数の系列に配置される「ＨＴ−ＬＴＦ」と、第１の系列に配置されるデータとから、パケット信号を生成するように指示する。なお、制御部３０は、図３（ａ）−（ｃ）のごとく、ＨＴ−ＳＴＦの前段に、「Ｌ−ＳＴＦ」、「Ｌ−ＬＴＦ」、「Ｌ−ＳＩＧ」、「ＨＴ−ＳＩＧ」が配置されるように、ベースバンド処理部２２に指示を出力する。
【００６８】
制御部３０は、「ＨＴ−ＬＴＦ」を複数の系列に配置する際に、データが配置された系列の数よりも大きい数の系列をひとつのグループとしながら、複数の系列を複数のグループにまとめる。図７（ａ）−（ｂ）においては、ふたつの系列をひとつのグループとしているので、４つの系列をふたつのグループにまとめている。また、制御部３０は、複数のグループのそれぞれを単位にして、「ＨＴ−ＬＴＦ」が配置されるべきタイミングを互いにずらしている。すなわち、第１のグループの「ＨＴ−ＬＴＦ」と第２のグループの「ＨＴ−ＬＴＦ」とは、異なったタイミングに配置される。
【００６９】
ここで、図７（ａ）−（ｂ）に記載のごとく、ひとつの系列に対してふたつの「ＨＴ−ＬＴＦ」が配置されている。すなわち、「ＨＴ−ＬＴＦ」の全体は、時間領域において「ＨＴ−ＬＴＦ」が繰り返されることによって形成されている。また、「ＨＴ−ＬＴＦ」の符号の組合せは、グループ内の系列間での直交関係が成立するように規定されている。その結果、前述のごとく、第１のグループ内において、第１成分と第２成分とを加算すれば、第１の系列に対するＨＴ−ＬＴＦが抽出される。また、第１のグループ内において、第１成分から第２成分を減算すれば、第２の系列に対するＨＴ−ＬＴＦが抽出される。
【００７０】
なお、ひとつの系列に配置される「ＨＴ−ＬＴＦ」の数は、直交関係を成立させるために必要な数によって定められる。そのため、直交関係を成立させるべき系列の数が「２」であれば、ひとつの系列当たりの「ＨＴ−ＬＴＦ」の数は「２」になる。一方、直交関係を成立させるべき系列の数が「３」あるいは「４」であれば、ひとつの系列当たりの「ＨＴ−ＬＴＦ」の数は「４」になる。そのため、図５（ｂ）−（ｃ）等のように副系列の数が「３」である場合、これらの間において直交関係が必要とされるので、「４」つの「ＨＴ−ＬＴＦ」が配置されてしまう。本実施例における図７（ａ）−（ｂ）では、ひとつのグループに含まれる系列の数を小さくすることによって、直交関係が必要とされる系列の数を小さくする。その結果、ひとつの系列当たりの「ＨＴ−ＬＴＦ」の数が小さくなる。
【００７１】
一方、制御部３０は、ベースバンド処理部２２に対して、「ＨＴ−ＳＴＦ」、「ＨＴ−ＬＴＦ」、「データ」とをひとつの系列に配置することによって、図４（ｂ）のように別のパケット信号を生成させている。なお、別のパケット信号においても、ふたつの「ＨＴ−ＬＴＦ」が含まれている。例えば、データが配置される系列の数が「１」である場合、制御部３０は、トレーニング信号を生成するときに図７（ａ）−（ｂ）のパケットフォーマットを選択し、トレーニング信号を生成しないときに図４（ｂ）のパケットフォーマットを選択する。これらの間において、第１の系列の構成は類似しているので、パケットフォーマットの切替が容易に実現される。
【００７２】
制御部３０は、ベースバンド処理部２２に対して、ＨＴ−ＬＴＦ等にＣＤＤを実行させる。なお、ＣＤＤは、ひとつの系列に配置されたＨＴ−ＬＴＦを基準として、他の系列に配置されたＨＴ−ＬＴＦに、ＨＴ−ＬＴＦ内での循環的なタイミングシフトを実行させることに相当する。制御部３０は、タイミングシフト量に予め優先度を設けている。ここでは、前述のごとく、タイミングシフト量「０ｎｓ」の優先度を最も高く設定し、それに続いて「−４００ｎｓ」、「−２００ｎｓ」、「−６００ｎｓ」の順に低くなっていくような優先度を設定する。
【００７３】
さらに、制御部３０は、ベースバンド処理部２２に、第１のグループに対して、優先度の高いタイミングシフト量から順にタイミングシフト量を使用させる。例えば、図７（ａ）の場合、第１の系列に対して「０ｎｓ」を使用させ、第２の系列に対して「−４００ｎｓ」を使用させる。また、制御部３０は、第２のグループに対しても、優先度の高いタイミングシフト量から順にタイミングシフト量を使用させる。例えば、図７（ａ）の場合、第３の系列に対して「０ｎｓ」を使用させ、第４の系列に対して「−４００ｎｓ」を使用させる。以上の処理によって、図７（ａ）に示したパケットフォーマットのパケット信号が生成される。
【００７４】
一方、これとは別に、複数の系列に対してそれぞれ異なった値のタイミングシフト量が設定されていてもよい。例えば、第１の系列のタイミングシフト量として、「０ｎｓ」が設定され、第２の系列のタイミングシフト量として、「−４００ｎｓ」が設定され、第３の系列のタイミングシフト量として、「−２００ｎｓ」が設定され、第４の系列のタイミングシフト量として、「−６００ｎｓ」が設定される。以上の処理によって、図７（ｂ）−（ｄ）に示したパケットフォーマットのパケット信号が生成される。
【００７５】
以上の処理によって、図５（ａ）−（ｂ）、図６（ａ）−（ｂ）、図７（ａ）−（ｂ）のようなパケットフォーマットのパケット信号が生成された後、制御部３０は、ベースバンド処理部２２に、これらのようなパケット信号を変形させる。また制御部３０は、変形したパケット信号を無線部２０に送信させる。すなわち、制御部３０は、図５（ａ）−（ｂ）、図６（ａ）−（ｂ）、図７（ａ）−（ｂ）に示したパケットフォーマットを図８に示したパケットフォーマットに変形させる。ベースバンド処理部２２は、系列の数を複数の系列の数まで拡張した後に、拡張された系列に対して、ＣＤＤを実行する。
【００７６】
一方、受信装置は、送信装置からのパケット信号を受信する。受信装置は、受信したパケット信号に含まれたＨＴ−ＬＴＦから、送信装置との間の伝送路特性を推定する。伝送路特性は、例えば、受信したパケット信号に含まれたＨＴ−ＬＴＦと、受信装置に予め記憶されたＨＴ−ＬＴＦとの相関を計算することによって導出される。また、伝送路特性は、図２のごとく、経路あるいは系列を単位にして導出される。そのため、伝送路特性は、一般的に行列として示される。さらに、受信装置は、導出した伝送路特性からレート情報を生成して、当該レート情報を送信装置に通知する。送信装置の制御部３０は、受けつけたレート情報をもとに、変復調部２４に対して変調方式を設定させる。また、制御部３０は、受けつけたレート情報をもとに、ベースバンド処理部２２に対して系列の数を設定させ、ＩＦ部２６に対して符号化率を設定させる。
【００７７】
また、受信装置は、導出した伝送路特性をもとに、送信時にビームフォーミングを実行してもよい。あるいは、受信装置は、導出した伝送路特性を送信装置に通知し、送信装置は、送信時にビームフォーミングを実行してもよい。
【００７８】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００７９】
図１１は、ベースバンド処理部２２の構成を示す。ベースバンド処理部２２は、受信用処理部５０、送信用処理部５２を含む。受信用処理部５０は、ベースバンド処理部２２における動作のうち、受信動作に対応する部分を実行する。すなわち、受信用処理部５０は、時間領域信号２００に対してアダプティブアレイ信号処理を実行しており、そのために時間領域信号２００のウエイトベクトルの導出を実行する。また、受信用処理部５０は、アレイ合成した結果を周波数領域信号２０２として出力する。なお、受信用処理部５０は、周波数領域信号２０２をもとにレート情報を生成してもよい。レート情報の生成については、前述のごとく公知の技術でよいので、説明を省略する。
【００８０】
送信用処理部５２は、ベースバンド処理部２２における動作のうち、送信動作に対応する部分を実行する。すなわち、受信用処理部５０は、周波数領域信号２０２を変換することによって、時間領域信号２００を生成する。また、送信用処理部５２は、複数の系列を複数のアンテナ１２にそれぞれ対応づける。さらに、送信用処理部５２は、図５（ａ）−（ｂ）、図６（ａ）−（ｂ）、図７（ａ）−（ｂ）に示されたようなＣＤＤを実行し、図８に示されたようなステアリング行列の演算を実行する。なお、送信用処理部５２は、最終的に時間領域信号２００を出力する。一方、送信用処理部５２は、図５（ａ）−（ｂ）、図６（ａ）−（ｂ）、図７（ａ）−（ｂ）に示されたパケット信号を送信する際に、ビームフォーミングを実行してもよい。ビームフォーミングについては、前述のごとく公知の技術でよいので、説明を省略する。
【００８１】
図１２は、受信用処理部５０の構成を示す。受信用処理部５０は、ＦＦＴ部７４、ウエイトベクトル導出部７６、合成部８０と総称される第１合成部８０ａ、第２合成部８０ｂ、第３合成部８０ｃ、第４合成部８０ｄを含む。
【００８２】
ＦＦＴ部７４は、時間領域信号２００に対してＦＦＴを実行することによって、時間領域信号２００を周波数領域の値に変換する。ここで、周波数領域の値は、図１０のように構成されているものとする。すなわち、ひとつの時間領域信号２００に対する周波数領域の値は、ひとつの信号線にて出力される。
【００８３】
ウエイトベクトル導出部７６は、周波数領域の値から、サブキャリア単位にウエイトベクトルを導出する。なお、ウエイトベクトルは、複数の系列のそれぞれに対応するように導出され、ひとつの系列に対するウエイトベクトルは、アンテナ１２の数に対応した要素をサブキャリア単位に有する。また、複数の系列のそれぞれに対応したウエイトベクトルの導出には、適応アルゴリズムが使用されてもよく、あるいは伝送路特性が使用されてもよいが、これらの処理には、公知の技術が使用されればよいので、ここでは、説明を省略する。なお、ウエイトベクトル導出部７６は、ウエイトを導出する際に、前述のごとく、第１成分−第２成分＋第３成分−第４成分や第１成分＋第２成分等の演算を実行する。最終的に、前述のごとく、サブキャリア、アンテナ１２、系列のそれぞれを単位にして、ウエイトが導出される。
【００８４】
合成部８０は、ＦＦＴ部７４にて変換された周波数領域の値と、ウエイトベクトル導出部７６からのウエイトベクトルとによって、合成を実行する。例えば、ひとつの乗算対象として、ウエイトベクトル導出部７６からのウエイトベクトルのうち、ひとつのサブキャリアに対応したウエイトであって、かつ第１の系列に対応したウエイトが選択される。選択されたウエイトは、アンテナ１２のそれぞれに対応した値を有する。
【００８５】
また、別の乗算対象として、ＦＦＴ部７４にて変換された周波数領域の値のうち、ひとつのサブキャリアに対応した値が選択される。選択された値は、アンテナ１２のそれぞれに対応した値を有する。なお、選択されたウエイトと選択された値は、同一のサブキャリアに対応する。アンテナ１２のそれぞれに対応づけられながら、選択されたウエイトと選択された値が、それぞれ乗算され、乗算結果が加算されることによって、第１の系列のうちのひとつのサブキャリアに対応した値が導出される。第１合成部８０ａでは、以上の処理が他のサブキャリアに対しても実行され、第１の系列に対応したデータが導出される。また、第２合成部８０ｂから第４合成部８０ｄでは、同様の処理によって、第２の系列から第４の系列に対応したデータがそれぞれ導出される。導出された第１の系列から第４の系列は、第１周波数領域信号２０２ａから第４周波数領域信号２０２ｄとしてそれぞれ出力される。
【００８６】
図１３は、送信用処理部５２の構成を示す。送信用処理部５２は、分散部６６、ＩＦＦＴ部６８を含む。分散部６６は、周波数領域信号２０２とアンテナ１２とを対応づける。分散部６６は、図３（ａ）−（ｃ）、図５（ａ）−（ｂ）、図６（ａ）−（ｂ）、図７（ａ）−（ｂ）のパケットフォーマットに対応したパケット信号を生成するために、ＣＤＤを実行する。ＣＤＤは、行列Ｃとして、以下のように実行される。
【数１】
0004593435.tif 000002
ここで、δは、シフト量を示し、ｌは、サブキャリア番号を示している。さらに、行列Ｃと系列との乗算は、サブキャリアを単位にして実行される。すなわち、分散部６６は、Ｌ−ＳＴＦ等内での循環的なタイミングシフトを系列単位に実行する。また、タイミングシフト量は、図３（ａ）−（ｃ）、図５（ａ）−（ｂ）、図６（ａ）−（ｂ）、図７（ａ）−（ｂ）のごとく設定される。
【００８７】
分散部６６は、図５（ａ）−（ｂ）、図６（ａ）−（ｂ）、図７（ａ）−（ｂ）のごとく生成されたトレーニング信号に対して、ステアリング行列をそれぞれ乗算することによって、トレーニング信号の系列の数を複数の系列の数まで増加させる。ここで、分散部６６は、乗算を実行する前に、入力した信号の次数を複数の系列の数まで拡張する。図７（ａ）−（ｂ）の場合、第１の系列と第２の系列に配置された「ＨＴ−ＳＴＦ」等が入力されるので、入力した信号の数は、「２」であり、ここでは、「Ｎｉｎ」によって代表させる。
【００８８】
そのため、入力したデータは、「Ｎｉｎ×１」のベクトルによって示される。また、複数の系列の数は、「４」であり、ここでは、「Ｎｏｕｔ」によって代表させる。分散部６６は、入力したデータの次数をＮｉｎからＮｏｕｔに拡張させる。すなわち、「Ｎｉｎ×１」のベクトルを「Ｎｏｕｔ×１」のベクトルに拡張させる。その際、Ｎｉｎ＋１行目からＮｏｕｔ行目までの成分に「０」を挿入する。一方、図７（ａ）−（ｂ）の第３の系列と第４の系列に配置された「ＨＴ−ＬＴＦ」に対して、Ｎｉｎまでの成分が「０」であり、Ｎｉｎ＋１行目からＮｏｕｔ行目までの成分にＨＴ−ＬＴＦ等が挿入されている。
【００８９】
また、ステアリング行列Ｓは、次のように示される。
【数２】
0004593435.tif 000003
ステアリング行列は、「Ｎｏｕｔ×Ｎｏｕｔ」の行列である。また、Ｗは、直交行列であり、「Ｎｏｕｔ×Ｎｏｕｔ」の行列である。直交行列の一例は、ウォルシュ行列である。ここで、ｌは、サブキャリア番号を示しており、ステアリング行列による乗算は、サブキャリアを単位にして実行される。さらに、Ｃは、前述のごとく、ＣＤＤを示す。ここで、ＣＤＤにおけるタイミングシフト量は、複数の系列のそれぞれに対して異なるように規定されている。すなわち、第１の系列に対して「０ｎｓ」、第２の系列に対して「−５０ｎｓ」、第３の系列に対して「−１００ｎｓ」、第４の系列に対して「−１５０ｎｓ」のようにタイミングシフト量が規定される。ＩＦＦＴ部６８は、分散部６６からの信号に対してＩＦＦＴを実行し、時間領域信号２００として出力する。
【００９０】
以上の構成による無線装置１０の動作を説明する。ひとつの系列に配置されるべきデータをＩＦ部２６が受けつけると、制御部３０は、ベースバンド処理部２２に対して、データ信号が配置された系列にＨＴ−ＳＴＦを配置させる。また、制御部３０は、ふたつの系列をひとつのグループとして、４つの系列に対してふたつのグループを規定しており、ふたつのグループのそれぞれにＨＴ−ＬＴＦを配置させる。その際、ふたつのグループのＨＴ−ＬＴＦは、互いに異なったタイミングに配置される。ベースバンド処理部２２は、このように生成されたパケット信号に対してステアリング行列を乗算することによって、パケット信号を変形させる。無線部２０は、変形したパケット信号を複数のアンテナ１２から送信する。
【００９１】
本発明の実施例によれば、複数の系列を複数のグループにまとめ、複数のグループのそれぞれが配置されるべきタイミングを互いにずらすので、ひとつのグループ当たりの系列の数を小さくでき、ＨＴ−ＳＴＦとＨＴ−ＬＴＦとの強度の差を小さくできる。また、ＨＴ−ＳＴＦとＨＴ−ＬＴＦとの強度の差が小さくなるので、ＨＴ−ＳＴＦに対して導出された増幅率をＨＴ−ＬＴＦに適した値に近くできる。また、ＨＴ−ＳＴＦに対して導出された増幅率がＨＴ−ＬＴＦに適した値に近くなるので、ＨＴ−ＬＴＦをもとにした伝送路推定の精度を向上できる。また、伝送路推定の精度が向上するので、レート情報の精度を向上できる。
【００９２】
また、伝送路推定の精度が向上するので、ビームフォーミングの制御の精度を向上できる。また、グループ内の系列数は、全体の系列数よりも小さいので、直交関係の対象となる系列数も小さくなり、ひとつの系列に含まれるＨＴ−ＬＴＦの数を小さくできる。ひとつの系列に含まれるＨＴ−ＬＴＦの数が小さくなるので、伝送効率を向上できる。また、ＨＴ−ＳＴＦがひとつの系列に配置されていても、所定のタイミングにおいてＨＴ−ＬＴＦはふたつの系列に配置されているので、ＨＴ−ＳＴＦとＨＴ−ＬＴＦとの強度の差を小さくできる。また、ＨＴ−ＬＴＦがひとつの系列に配置されるときと、ＨＴ−ＬＴＦが複数の系列に配置されるときに対して、ひとつの系列の構成が類似しているので、両者の切替を容易に実行できる。
【００９３】
また、トレーニング信号を生成する際に、ＨＴ−ＳＴＦが配置される系列の数と、データが配置される系列の数とを同一の数にするので、ＨＴ−ＳＴＦによって設定された利得がデータに対応し、データの受信特性の悪化を抑制できる。また、タイミングシフト量に優先度を規定し、複数のグループのそれぞれに対して、高い優先度から順に使用することによって、同一のタイミングシフト量を多く使用できる。また、同一のタイミングシフト量を多く使用することによって、処理を簡易にできる。また、複数の系列の数を「２」とし、データが配置される系列の数を「１」とする場合、受信装置は、ＨＴ−ＬＴＦの受信状況に応じて、複数の系列のいずれかにデータが配置されるべきかを送信装置に指示できる。すなわち、送信ダイバーシチを実行できる。
【００９４】
また、複数の系列に配置されたＨＴ−ＬＴＦのそれぞれに対するタイミングシフト量は同一の値であるので、データを配置した系列が変更されても、受信装置において容易に対応できる。また、複数の系列のそれぞれに対して異なったタイミングシフト量を設定するので、均一的に処理を実行できる。また、均一的に処理を実行できるので、処理を簡易にできる。また、次に続くパケット信号において、データが配置される系列の数が増加する場合であっても、増加される系列に対するＨＴ−ＬＴＦは、同一のタイミングシフト量にて既に送信されているので、受信装置は、既に導出したタイミング等を使用できる。また、既に導出したタイミング等を使用できるので、受信装置は、データが配置された系列の数の増加に容易に対応できる。
【００９５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００９６】
本発明の実施例において、複数の系列の数が「４」である場合を説明した。しかしながらこれに限らず例えば、複数の系列の数は、「４」より小さくても構わないし、「４」より大きくても構わない。これにあわせて、前者の場合、アンテナ１２の数が「４」より少なくても構わないし、アンテナ１２の数が「４」より大きくても構わない。これらの場合において、ひとつのグループに含まれる系列の数が「２」より大きくてもよく、あるいはグループの数が「２」より大きくてもよい。本変形例によれば、さまざまな系列の数に本発明を適用できる。
【００９７】
本発明の実施例において、グループを単位にして、ＨＴ−ＬＴＦは異なったタイミングに配置される。しかしながらこれに限らず例えば、同一のタイミングに配置してもよい。図１４は、通信システム１００におけるさらに別のトレーニング信号用のパケットフォーマットを示す。第１の系列から第３の系列にデータが配置されている。また、トレーニング信号は、図３（ａ）と同一である。本変形例によれば、ＨＴ−ＬＴＦの期間を短くできるので、伝送効率を向上できる。
【００９８】
本発明の実施例において、トレーニング信号における「ＨＴ−ＬＴＦ」の符号関係として、各成分が直交の関係を有している行列を示している。しかしながらこれに限らず例えば、各成分が直交の関係でなくても、加算や減算のような簡単な演算によって、各所望の成分を取り出すことができるような符号関係を有している行列であればよい。本変形によれば、トレーニング信号における「ＨＴ−ＬＴＦ」の符号として、さまざまな符号関係を使用できる。
【図面の簡単な説明】
【００９９】
【図１】本発明の実施例に係るマルチキャリア信号のスペクトルを示す図である。
【図２】本発明の実施例に係る通信システムの構成を示す図である。
【図３】図３（ａ）−（ｃ）は、図２の通信システムにおけるパケットフォーマットを示す図である。
【図４】図４（ａ）−（ｂ）は、図２の通信システムにおいて系列の数がひとつである場合のパケットフォーマットを示す図である。
【図５】図５（ａ）−（ｄ）は、図２の通信システムにおけるトレーニング信号用のパケットフォーマットを示す図である。
【図６】図６（ａ）−（ｄ）は、図２の通信システムにおける別のトレーニング信号用のパケットフォーマットを示す図である。
【図７】図７（ａ）−（ｄ）は、図２の通信システムにおけるさらに別のトレーニング信号用のパケットフォーマットを示す図である。
【図８】図２の通信システムにおいて最終的に送信されるパケット信号のパケットフォーマットを示す図である。
【図９】図２の第１無線装置の構成を示す図である。
【図１０】図９における周波数領域の信号の構成を示す図である。
【図１１】図９のベースバンド処理部の構成を示す図である。
【図１２】図１１の受信用処理部の構成を示す図である。
【図１３】図１１の送信用処理部の構成を示す図である。
【図１４】図２の通信システムにおけるさらに別のトレーニング信号用のパケットフォーマットを示す図である。
【符号の説明】
【０１００】
１０  無線装置、  １２  アンテナ、  １４  アンテナ、  ２０  無線部、  ２２  ベースバンド処理部、  ２４  変復調部、  ２６  ＩＦ部、  ３０  制御部、  １００  通信システム。
【図１】
0004593435.tif 000004
【図２】
0004593435.tif 000005
【図３】
0004593435.tif 000006
【図４】
0004593435.tif 000007
【図５】
0004593435.tif 000008
【図６】
0004593435.tif 000009
【図７】
0004593435.tif 000010
【図８】
0004593435.tif 000011
【図９】
0004593435.tif 000012
【図１０】
0004593435.tif 000013
【図１１】
0004593435.tif 000014
【図１２】
0004593435.tif 000015
【図１３】
0004593435.tif 000016
【図１４】
0004593435.tif 000017